(57)【特許請求の範囲】
【請求項１】
前後縁の少なくとも一方にラダーテープ（１４）の左右幅と同幅又はそれよりも少し広いラダーテープ溝を設けたスラット（１０）であって、前記ラダーテープ溝（１２）の左右方向の中央又はその近傍に少なくとも１つの前後方向に延長する突起（１３）を形成したことを特徴とするベネシャンブラインドのスラット。
【請求項２】
前記突起（１３）の前後方向長さは前記ラダーテープ溝の深さの半分以下であることを特徴とする請求項１記載のベネシャンブラインドのスラット。
【発明の詳細な説明】
【０００１】
【発明の属する技術分野】
本発明はベネシャンブラインドのラダーテープによって支持される比較的広幅なスラットに関するものである。
【０００２】
【従来の技術】
ベネシャンブラインドの比較的広幅なスラットは、ラダーコードではなくラダーテープによって支持される。
ラダーテープとスラットのブラインド幅方向の関係位置を安定させるため、従来は、図５に示すように、スラット２０の前後縁の少なくとも一方にラダーテープ１４のはまる底の平坦なラダーテープ溝２２を設けていた。
【０００３】
図４に示すように、ラダーテープ１４は前後２本のテープ本体１８、１８と、テープ本体の左右両側に織り込まれた４本の比較的太いラダー糸１５からなる。ラダー糸１５は前後テープ本体１８、１８の間を一定の上下間隔で往復してスラットを支える横糸部１６を形成する。又、ラダー糸１５は前後テープ本体１８、１８の内外両面にこぶ状の糸目１７を形成する。
【０００４】
【発明が解決しようとする課題】
比較的広幅なスラットを有するベネシャンブラインドは、一本の回転軸によってスラットの昇降及び傾動を操作する方式であり、ブラインド昇降中、全スラットは必ず一様に傾斜して閉じた状態となる。ブラインドを下降するとき、図６に示すように、従来のスラット２０はラダーテープ溝の底にラダーテープ１４内面が接触するため、ラダー糸１５の糸目１７がラダーテープ溝に引掛かりやすく、引掛かったスラット１０はラダー糸の横糸部１６と共に傾斜せずに水平に近い状態になるという不具合いがあった。この不具合いを直すため、ブラインドの下降直後に、スラットを手動反転、電動の場合は自動反転させる操作が必要であった。
【０００５】
本発明はこの問題を解決するためになされたものであり、その目的とするところは、ブラインドが下降するときに、ラダーテープ内面のラダー糸の糸目にスラットのラダーテープ溝の底が引掛かって生じる不具合いを未然に防止することにある。
【０００６】
【課題を解決するための手段】
前記目的を達成するため、本発明が採用する手段は、スラットのラダーテープがはまるラダーテープ溝の中央付近に１つ以上の突起を形成したことにある。突起の長さはラダーテープ溝の深さの半分以下にすることが望ましい。この突起がラダーテープ内面の左右側部をラダーテープ溝の底から遠ざけ、ラダーテープ内面のラダー糸の糸目にラダーテープ溝の底が接触することを防止するから、スラットがラダーテープに引掛かって水平になる不具合いは解消する。
【０００７】
【発明の実施の形態】
ブラインドを下降するとき、傾斜しかつ重合していたスラット同士は上から順次開いていくが、このとき、開いていくスラットのラダーテープ溝にはまるラダーテープは緊張する。本発明のスラットはラダーテープがはまるラダーテープ溝の中央に突起を有するから、緊張したラダーテープはラダーテープ溝の中央の突起に当接する。この突起はラダーテープの内面の左右両側部をラダーテープ溝の底から突起の高さだけ必ず隔離させ、ラダーテープの内面左右両側部に露出するラダー糸の糸目がラダーテープ溝の底に引掛かることを防止するから、スラットがラダーテープに引掛かる不具合いは発生しない。
【０００８】
【実施例】
本発明のスラットを図面に示す実施例に基づいて説明する。
図１及び図２に示すように、スラット１０の左右に昇降テープを通す昇降テープ孔１１、１１があけられ、その昇降テープ孔があけられた部分の前後縁の一方を切欠いてラダーテプ１４がはまるラダーテープ溝１２を形成する。ラダーテプ溝１２は底が狭く開口が広い台形状であり、底の中央にラダーテープ溝１２の深さの４分の１ないし２分の１程度の高さを有する台形状の突起１３が形成される。ラダーテープ１４のテープ本体１８、１８の一方がラダーテープ溝１２のはまる。ラダーテープ１４に織り込まれたラダー糸１５はラダーテープ１４の左右両側部において横糸部１６、１６を形成しスラット１０を支える。
【０００９】
ラダーテープ１４が幅２８ｍｍの場合、ラダーテープ溝１２の開口幅は３５．２ｍｍ、底幅は２８ｍｍ、深さは６ｍｍ、突起底幅は７ｍｍ、突起先端幅は２ｍｍ、突起高さは１．５ｍｍであり、ラダーテープ溝１２の底の両端はラダーテープ１４の左右両縁が引掛からないように丸みを付ける。
図３（ａ）に示すように、ブラインドの下降前の各スラット１０は一方に傾斜して上下に重合し、スラットの前縁と後縁に沿う前後ラダーテープ１４はたるみ、スラットの間のラダーテープ１４のラダー糸１５は斜めに延長する。
【００１０】
図３（ｂ）に示すように、ブラインドが下降し始めると、スラット１０は上から順次間隔が開く。このとき、たるんでいたラダーテープ１４は上下に緊張する。
図２に示すように、スラット１０のラダーテープ溝１２にはまるラダーテープ１４は緊張すると、内面の中央が突起１３に当接するから、ラダーテープ１４の内面の左右両側部はラダーテープ溝１２の底には接触しない。したがって、図３（ｂ）に示すように、ラダーテープ１４の内面の左右両側部から露出するラダー糸の太い糸目１７にスラット１０のラダーテープ溝１２の底が引掛かるおそれはないから、スラット１０はラダー糸の横糸部１６に支えられ、一方に傾斜したまま上から順次間隔を拡げる。その結果、ブラインドが下降したとき、スラットはすべて一様に傾斜し、ブラインドは完全に閉じた状態であるから、スラットの傾斜を修正するための反転操作は不要である。
【００１１】
【発明の効果】
上記のとおり、本発明のスラットは、従来のラダーテープ溝の底が平坦であったものとは異なり、ラダーテープ溝の中央に突起を形成してラダーテープ内面左右両側部がラダーテープ溝の底に接触することを防止したから、ブラインドの下降時にラダーテープ内面左右両側部に露出するラダー糸の糸目がスラットのラダーテープ溝の底に引掛かり、それによってスラットの傾斜が不揃いになるおそれはないという優れた効果を奏する。
【図面の簡単な説明】
【図１】は本発明の一実施例のスラットの平面図、
【図２】は図１のスラットの要部を拡大して示す平面図、
【図３】は図１のスラットからなるベネシャンブラインドの下降状態を示す側面図であり、（ａ）は下降前の状態を、（ｂ）は下降直後の状態をそれぞれ示す。
【図４】はラダーテープの要部を示す斜視図、
【図５】は従来のスラットを備えたベネシャンブラインドの下降直後の状態を示す側面図、
【図６】は従来のスラットからなるブラインドの図３に相当する図、
【符号の説明】
１０：スラット、
１１：昇降テープ孔、
１２：ラダーテープ溝、
１３：突起、
１４：ラダーテープ、
１５：ラダー糸、
１６：横糸部（ラダー糸）、
１７：糸目（ラダー糸）、
１８：テープ本体、
２０：スラット、
２２：ラダーテープ溝
【図１】
0003562604.tif 000002
【図２】
0003562604.tif 000003
【図３】
0003562604.tif 000004
【図４】
0003562604.tif 000005
【図５】
0003562604.tif 000006
【図６】
0003562604.tif 000007